(57)【要約】【課題】  各加入者宅のサービス内容の設定・変更や保守を安価なコストですることができる光伝送システムおよび光通信機器を提供する。【解決手段】  光伝送システム１では、端局１０において送受信器１１から出力された信号光は、光分岐器１２により分岐されて光伝送路４１〜４４へ送出される。光伝送路４１へ送出された信号光は、光通信機器３０に入力する。光通信機器３０に入力した信号光は、光分岐器３１により分岐されて、光デバイス３２により処理される。光通信機器３０内の光デバイス３２から出力された信号光は、光伝送路５１〜５８により伝送されて加入者宅２１〜２８へ送信される。光通信機器３０においては、光デバイス３２における信号光処理の為には電力が必要な場合があるが、これに必要な電力は太陽電池３３において発生し、その発生した電力は駆動部３４を経て光デバイス３２に供給される。【選択図】  図１
2006067014.tif 000002
【特許請求の範囲】
【請求項１】
光伝送路により信号光を伝送する光伝送システムにおいて屋外で用いられる光通信機器であって、
前記信号光を処理する光デバイスと、前記光デバイスを駆動するために必要な電力を発生する太陽電池と、前記太陽電池で発生した電力を用いて前記光デバイスを駆動する駆動部と、を備えることを特徴とする光通信機器。
【請求項２】
前記太陽電池で発生した電力を蓄えるバッテリを更に備えることを特徴とする請求項１記載の光通信機器。
【請求項３】
無線信号を受信し、この受信した無線信号に基づいて前記光デバイスにおける信号光処理内容を制御する制御手段を更に備えることを特徴とする請求項１記載の光通信機器。
【請求項４】
前記光伝送路により伝送されてきた制御光を受信し、この受信した制御光に基づいて前記光デバイスにおける信号光処理内容を制御する制御手段を更に備えることを特徴とする請求項１記載の光通信機器。
【請求項５】
前記光デバイスが、静電駆動式のアクチュエータを含み、このアクチュエータの作用により前記信号光を処理する、ことを特徴とする請求項１記載の光通信機器。
【請求項６】
請求項１〜５の何れか１項に記載の光通信機器が屋外に設けられており、この光通信機器を介して光伝送路により信号光を伝送する、ことを特徴とする光伝送システム。
【発明の詳細な説明】
【技術分野】
【０００１】
本発明は、光伝送路により信号光を伝送する光伝送システム、および、このような光伝送システムにおいて屋外で用いられる光通信機器に関するものである。
【背景技術】
【０００２】
光伝送システムは、光伝送路により信号光を伝送することで情報を送受信する。光伝送路は一般には光ファイバからなるが、近年では一般の家庭やオフィス（加入者宅）まで光ファイバ伝送路が敷設されてＦＴＴＨ（fiber to the home）システムが構築されつつある（非特許文献１参照）。このＦＴＴＨシステムでは、デジタル情報を担う信号光（波長１.４９μｍ）、および、アナログ映像情報を担う信号光（波長１.５５μｍ）が、端局から加入者宅へ送信される。また、デジタル情報を担う信号光（波長１.３１μｍ）が加入者宅から端局へ送信される。また、加入者宅の近くの屋外には、光分岐器を内蔵するクロージャが設けられる。この光分岐器は、端局から送信されてきて到達した信号光を分岐して各加入者宅へ送出するとともに、各加入者宅から送信されてきて到達した信号光を端局へ送出する。
【非特許文献１】加島宜雄、「ＦＴＴＨにおける各種ネットワーク」、オプトロニクス (2004) No.1, pp.168-171
【発明の開示】
【発明が解決しようとする課題】
【０００３】
ところで、ＦＴＴＨシステムにおいて屋外に設置されて用いられるクロージャは、端局から送信されてきて到達した信号光を全ての加入者宅に分配する。そして、各加入者宅に到達した信号光が担う情報（一般に暗号化されている）のうちから、加入者宅毎のサービス契約内容に応じた情報のみを選択して復号化する。このことから、選択的に情報を復号化する為の機器を各加入者宅に設ける必要があり、また、サービス内容が変更になったときには各加入者宅の機器を交換または設定変更する必要があるので、システムコストが大きい。また、端局からクロージャに到達した信号光を全ての加入者宅に分配することから、端局と加入者宅との間で何らかの障害が発生した場合に、その障害発生位置を特定することが困難であり、システム保守のためのコストも大きい。
【０００４】
本発明は、上記問題点を解消する為になされたものであり、各加入者宅のサービス内容の設定・変更や保守を安価なコストですることができる光伝送システム、および、このような光伝送システムにおいて屋外で用いられる光通信機器を提供することを目的とする。
【課題を解決するための手段】
【０００５】
本発明に係る光通信機器は、光伝送路により信号光を伝送する光伝送システムにおいて屋外で用いられる光通信機器であって、信号光を処理する光デバイスと、光デバイスを駆動するために必要な電力を発生する太陽電池と、太陽電池で発生した電力を用いて光デバイスを駆動する駆動部と、を備えることを特徴とする。また、本発明に係る光伝送システムは、上記の本発明に係る光通信機器が屋外に設けられており、この光通信機器を介して光伝送路により信号光を伝送することを特徴とする。
【０００６】
本発明によれば、信号光は、光通信機器内の光デバイスにより処理され、光伝送路により伝送される。光通信機器内の光デバイスを駆動するには電力が必要であるが、これに必要な電力は太陽電池において発生し、その発生した電力は駆動部を経て光デバイスに供給される。したがって、この光通信機器は、電力供給の為のケーブルを敷設する必要が無く、屋外に設置して使用することができる。
【０００７】
本発明に係る光通信機器は、太陽電池で発生した電力を蓄えるバッテリを更に備えるのが好適である。この場合には、夜間や日照不足時に太陽電池による発電が不可能または不充分であっても、そのバッテリに蓄えられた電力を用いて駆動部により光デバイスを駆動することができる。
【０００８】
本発明に係る光通信機器は、無線信号を受信し、この受信した無線信号に基づいて光デバイスにおける信号光処理内容を制御する制御手段を更に備えるのが好適である。或いは、光伝送路により伝送されてきた制御光を受信し、この受信した制御光に基づいて光デバイスにおける信号光処理内容を制御する制御手段を更に備えるのが好適である。これらの場合には、制御手段により、光デバイスにおける信号光処理内容を遠隔制御することができる。
【０００９】
本発明に係る光通信機器では、光デバイスは、静電駆動式のアクチュエータを含み、このアクチュエータの作用により信号光を処理するのが好適である。この場合には、集積化や省電力化の点で好都合である。
【発明の効果】
【００１０】
本発明によれば、各加入者宅のサービス内容の設定・変更や保守を安価なコストですることができる。
【発明を実施するための最良の形態】
【００１１】
以下、添付図面を参照して、本発明を実施するための最良の形態を詳細に説明する。なお、図面の説明において同一の要素には同一の符号を付し、重複する説明を省略する。
【００１２】
先ず、本発明に係る光伝送システムの実施形態について説明する。図１は、本実施形態に係る光伝送システム１の構成図である。この図に示される光伝送システム１は、端局１０と加入者宅２１〜２８との間で光伝送路により信号光を双方向伝送することにより情報を送受信するものであり、両者の間に光通信機器３０が設けられている。
【００１３】
端局１０内には、送受信器１１および光分岐器１２が設けられている。送受信器１１は、加入者宅２１〜２８へ送信すべき信号光（すなわち、デジタル情報を担う信号光（波長１.４９μｍ）、および、アナログ映像情報を担う信号光（波長１.５５μｍ））を出力する。また、送受信器１１は、加入者宅２１〜２８から送られてきた信号光（すなわち、デジタル情報を担う信号光（波長１.３１μｍ））を受信する。光分岐器１２は、送受信器１１から出力された信号光を４分岐して、その分岐した信号光を光伝送路４１〜４４へ送出する。また、光分岐器１２は、光伝送路４１〜４４により伝送されてきた信号光を入力し送受信器１１へ出力する。なお、図１では、光伝送路４２〜４４それぞれの以降の接続態様については、図示が省略されているが、光伝送路４１と同様である。
【００１４】
光通信機器３０は、光伝送路４１により端局１０と接続されており、光分岐器３１、光デバイス３２、太陽電池３３および駆動部３４を備える。これらのうち、光分岐器３１、光デバイス３２および駆動部３４は、筐体３０Ａ内に収納されているのが好適である。太陽電池３３は、筐体３０Ａの外壁に取り付けられていてもよいし、筐体３０Ａとは別に設けられていてもよい。
【００１５】
光分岐器３１は、端局１０から送出されて光伝送路４１により伝送されてきた信号光を８分岐し、その分岐した信号光を、光デバイス３２を経て光伝送路５１〜５８へ送出する。また、光分岐器３１は、光伝送路５１〜５８により伝送されてきて光デバイス３２を経た信号光を入力し、その信号光を光伝送路４１へ出力する。
【００１６】
光デバイス３２は、光分岐器３１により８分岐されて出力された各信号光を処理して光伝送路５１〜５８へ出力し、或いは、光伝送路５１〜５８それぞれにより伝送されてきて到達した各信号光を処理して光分岐器３１へ出力する。太陽電池３３は、光デバイス３２を駆動するために必要な電力を発生する。駆動部３４は、太陽電池３３で発生した電力を用いて光デバイス３２を駆動する。
【００１７】
加入者宅２１は、光伝送路５１により光通信機器３０と接続されており、光通信機器３０から出力されて光伝送路５１により伝送されてきた信号光を受信するとともに、端局１０へ送信すべき信号光を光伝送路５１へ送出する。他の加入者宅２２〜２８についても同様である。
【００１８】
この光伝送システム１では、端局１０において送受信器１１から出力された信号光は、光分岐器１２により分岐されて光伝送路４１〜４４へ送出される。端局１０から光伝送路４１へ送出された信号光は、光通信機器３０に入力する。この光通信機器３０に入力した信号光は、光分岐器３１により分岐されて、光デバイス３２により処理される。光通信機器３０内の光デバイス３２から出力された信号光は、光伝送路５１〜５８により伝送されて加入者宅２１〜２８へ送信される。逆に、加入者宅２１〜２８から送出された信号光は、光伝送路５１〜５８により伝送され、光通信機器３０内の光デバイス３２および光分岐器３１を経て、光伝送路４１により伝送され、端局１０内の光分岐器１２を経て送受信器１１により受信される。
【００１９】
光通信機器３０においては、光デバイス３２における信号光処理の為には電力が必要な場合があるが、これに必要な電力は太陽電池３３において発生し、その発生した電力は駆動部３４を経て光デバイス３２に供給される。以下では、光通信機器３０について更に詳細に説明する。
【００２０】
次に、本発明に係る光通信機器の第１実施形態について説明する。図２は、第１実施形態に係る光通信機器１００の構成図である。この図に示される光通信機器１００は、図１に示された光伝送システム１に含まれる光通信機器３０として好適に用いられるものである。
【００２１】
この光通信機器１００は、光分岐器１１０、光デバイス１２０、太陽電池１３０、駆動部１４０、チャージコントローラ１５０、バッテリ１６０および制御部１７０を備える。これらのうち、光分岐器１１０、光デバイス１２０、駆動部１４０、チャージコントローラ１５０、バッテリ１６０および制御部１７０は、筐体１１０Ａ内に収納されているのが好適である。太陽電池１３０は、筐体１００Ａの外壁に取り付けられていてもよいし、筐体１００Ａとは別に設けられていてもよい。
【００２２】
光分岐器１１０は、端局１０から送出されて光伝送路４１により伝送されてきた信号光を８分岐し、その分岐した信号光を、光デバイス１２０を経て光伝送路５１〜５８へ送出する。また、光分岐器１１０は、光伝送路５１〜５８により伝送されてきて光デバイス１２０を経た信号光を入力し、その信号光を光伝送路４１へ出力する。光デバイス１２０は、光分岐器１１０により８分岐されて出力された各信号光を処理して光伝送路５１〜５８へ出力し、或いは、光伝送路５１〜５８それぞれにより伝送されてきて到達した各信号光を処理して光分岐器１１０へ出力する。
【００２３】
この光デバイス１２０は、８個の部分回路１２１〜１２８に区分されている。部分回路１２１が光伝送路５１上にあり、部分回路１２２が光伝送路５２上にあり、部分回路１２３が光伝送路５３上にあり、部分回路１２４が光伝送路５４上にあり、部分回路１２５が光伝送路５５上にあり、部分回路１２６が光伝送路５６上にあり、部分回路１２７が光伝送路５７上にあり、また、部分回路１２８が光伝送路５８上にある。
【００２４】
太陽電池１３０は、光デバイス１２０を駆動するために必要な電力を発生する。駆動部１４０は、太陽電池１３０で発生した電力を用いて光デバイス１２０を駆動する。チャージコントローラ１５０およびバッテリ１６０は、太陽電池１３０と駆動部１４０との間に設けられている。チャージコントローラ１５０は、太陽電池１３０で発生した電力をバッテリ１６０に蓄えさせる。そして、駆動部１４０は、バッテリ１６０により蓄えられて電力を用いて、光デバイス１２０を駆動するとともに、制御部１７０を駆動する。
【００２５】
制御部１７０は、自由空間を伝搬してきた無線信号（例えばＰＨＳ信号）を受信し、この受信した無線信号に基づいて光デバイス１２０における信号光処理内容を制御する。また、制御部１７０は、光デバイス１２０における信号光処理内容に関する情報を無線信号として外部自由空間へ送信するのも好適である。
【００２６】
図３は、第１実施形態に係る光通信機器１００に含まれる光デバイス１２０の部分回路１２１の構成図である。なお、他の部分回路１２２〜１２８の構成も同様である。部分回路１２１は、光分岐器１１０により分岐されて到達した信号光のうち、光伝送路５１を経て加入者宅２１へ送信すべき信号光を処理する。例えば、部分回路１２１は、加入者宅２１のサービス契約内容に応じて、端局１０から送出されたデジタル情報を担う信号光（波長１.４９μｍ）およびアナログ映像情報を担う信号光（波長１.５５μｍ）のうちから選択して透過させて、その透過させた信号光を加入者宅２１へ送出する。
【００２７】
この図に示されるように部分回路１２１は、光導波路９１１，９１２および溝９１３が形成された基板９１０と、この溝９１３内に挿入された可動の光フィルタ９２０とを含む。光導波路９１１の一方の端部は溝９１３に達し、他方の端部は光分岐器１１０と光学的に接続されている。光導波路９１２の一方の端部は溝９１３に達し、他方の端部は光伝送路５１と光学的に接続されている。仮に溝９１３内に光フィルタ９２０が存在しなければ、光導波路９１１から溝９１３に出射された光は光導波路９１２に入射し得る。光フィルタ９２０は、溝９１３内に挿入されていて、制御部１７０により制御されて移動可能であり、その移動により、光導波路９１１と光導波路９１２との間の光路上に存在（同図（ａ））したり待避（同図（ｂ））したりすることができる。
【００２８】
例えば、光導波路９１１と光導波路９１２との間の光路上に光フィルタ９２０が存在する場合（同図（ａ））、端局１０から送出された信号光（波長１.４９μｍ，１.５５μｍ）のうち、波長１.５５μｍの信号光は光フィルタ９３０により遮断されて加入者宅２１に達せず、波長１.４９μｍの信号光は光フィルタ９３０を透過して加入者宅２１へ送信される。一方、光導波路９１１と光導波路９１２との間の光路上から光フィルタ９２０が待避している場合（同図（ｂ））、端局１０から送出された全ての信号光は加入者宅２１へ送信される。
【００２９】
このような部分回路１２１は、ＭＥＭＳ（micro-electro mechanical system）技術により好適に実現され得る。また、８個の部分回路１２１〜１２８を含む光デバイス１２０は、ＭＥＭＳ技術により集積化されて一体のものとして製造され得る。すなわち、光デバイス１２０は、制御部１７０により制御される静電駆動式のアクチュエータを含み、このアクチュエータの作用により光フィルタ９２０を移動させて信号光を処理することができる。
【００３０】
また、このような光デバイス１２０を駆動するには電力が必要であるが、これに必要な電力は太陽電池１３０において発生し、その発生した電力は、チャージコントローラ１５０、バッテリ１６０および駆動部１４０を経て光デバイス１２０に供給される。
【００３１】
したがって、このような光通信機器１００は、電力供給の為のケーブルを敷設する必要が無く、屋外に設置して使用することができる。しかも、この光通信機器１００は、加入者宅２１〜２８に対して１個のみ設けられればよい。このことから、選択的に情報を復号化する為の機器等を加入者宅２１〜２８に設ける必要が無く、また、サービス内容が変更になったときであっても加入者宅２１〜２８の機器を交換または設定変更する必要が無いので、光伝送システム１を安価に構成することができる。
【００３２】
また、端局１０と加入者宅２１〜２８との間で何らかの障害が発生した場合であっても、光デバイス１２０の作用により光伝送路５１〜５８のうちの何れかのみに試験光を伝搬させることで、特定の光伝送路について選択的にＯＴＤＲ（Optical Time Domain Reflectometer）試験をすることができるので、障害発生位置を特定することが容易であり、システム保守のためのコストを安価にすることができる。
【００３３】
また、バッテリ１６０が設けられていることにより、日照充分な昼間に太陽電池１３０で発生した電力をバッテリ１６０に蓄えておくことができるので、夜間や日照不足時に太陽電池１３０による発電が不可能または不充分であっても、そのバッテリ１６０に蓄えられた電力を用いて駆動部１４０により光デバイス１２０および制御部１７０を駆動することができる。
【００３４】
次に、本発明に係る光通信機器の第２実施形態について説明する。図４は、第２実施形態に係る光通信機器２００の構成図である。この図に示される光通信機器２００は、図１に示された光伝送システム１に含まれる光通信機器３０として好適に用いられるものである。
【００３５】
この光通信機器２００は、光分岐器２１０、光デバイス２２０、太陽電池２３０、駆動部２４０、チャージコントローラ２５０およびバッテリ２６０を備える。これらのうち、光分岐器２１０、光デバイス２２０、駆動部２４０、チャージコントローラ２５０およびバッテリ２６０は、筐体２１０Ａ内に収納されているのが好適である。太陽電池２３０は、筐体２００Ａの外壁に取り付けられていてもよいし、筐体２００Ａとは別に設けられていてもよい。
【００３６】
光分岐器２１０は、端局１０から送出されて光伝送路４１により伝送されてきた信号光を８分岐し、その分岐した信号光を、光デバイス２２０を経て光伝送路５１〜５８へ送出する。また、光分岐器２１０は、光伝送路５１〜５８により伝送されてきて光デバイス２２０を経た信号光を入力し、その信号光を光伝送路４１へ出力する。光デバイス２２０は、光分岐器２１０により８分岐されて出力された各信号光を処理して光伝送路５１〜５８へ出力し、或いは、光伝送路５１〜５８それぞれにより伝送されてきて到達した各信号光を処理して光分岐器２１０へ出力する。
【００３７】
この光デバイス２２０は、８個の部分回路２２１〜２２８に区分されている。部分回路２２１が光伝送路５１上にあり、部分回路２２２が光伝送路５２上にあり、部分回路２２３が光伝送路５３上にあり、部分回路２２４が光伝送路５４上にあり、部分回路２２５が光伝送路５５上にあり、部分回路２２６が光伝送路５６上にあり、部分回路２２７が光伝送路５７上にあり、また、部分回路２２８が光伝送路５８上にある。
【００３８】
太陽電池２３０は、光デバイス２２０を駆動するために必要な電力を発生する。駆動部２４０は、太陽電池２３０で発生した電力を用いて光デバイス２２０を駆動する。チャージコントローラ２５０およびバッテリ２６０は、太陽電池２３０と駆動部２４０との間に設けられている。チャージコントローラ２５０は、太陽電池２３０で発生した電力をバッテリ２６０に蓄えさせる。そして、駆動部２４０は、バッテリ２６０により蓄えられて電力を用いて、光デバイス２２０を駆動する。なお、本実施形態では、デバイス２２０を制御する機構は、デバイス２２０自身に設けられている。
【００３９】
図５は、第２実施形態に係る光通信機器２００に含まれる光デバイス２２０の部分回路２２１の構成図である。なお、他の部分回路２２２〜２２８の構成も同様である。この図に示される部分回路２２１は、光分岐器２１０により分岐されて到達した信号光のうち、光伝送路５１を経て加入者宅２１へ送信すべき信号光を処理する。例えば、部分回路２２１は、加入者宅２１のサービス契約内容に応じて、端局１０から送出されたデジタル情報を担う信号光（波長１.４９μｍ）およびアナログ映像情報を担う信号光（波長１.５５μｍ）のうちから選択して透過させて、その透過させた信号光を加入者宅２１へ送出する。
【００４０】
この図に示されるように部分回路２２１は、光導波路９１１，９１２および溝９１３が形成された基板９１０と、この溝９１３内に挿入された可動の光フィルタ９２０と、光分波器９３０と、制御部９４０とを含む。光導波路９１１の一方の端部は溝９１３に達し、他方の端部は光分波器９３０と光学的に接続されている。光導波路９１２の一方の端部は溝９１３に達し、他方の端部は光伝送路５１と光学的に接続されている。仮に溝９１３内に光フィルタ９２０が存在しなければ、光導波路９１１から溝９１３に出射された光は光導波路９１２に入射し得る。光フィルタ９２０は、溝９１３内に挿入されていて、制御部９４０により制御されて移動可能であり、その移動により、光導波路９１１と光導波路９１２との間の光路上に存在（同図（ａ））したり待避（同図（ｂ））したりすることができる。
【００４１】
光分波器９３０は、端局１０から送出された信号光（波長１.４９μｍ，１.５５μｍ）を入力するとともに、端局１０から送出された制御光（信号光波長とは異なる波長）をも入力し、信号光と制御光とを分波して、信号光を基板９１０の光導波路９１１に入射させ、制御光を制御部９４０へ出力する。制御部９３０は、光分波器９６０から到達した制御光を受光して、その制御光が担う制御信号に基づいて、基板９１０の溝９１３における光フィルタ９２０の位置を制御する。
【００４２】
例えば、光導波路９１１と光導波路９１２との間の光路上に光フィルタ９２０が存在する場合（同図（ａ））、端局１０から送出された全ての信号光は加入者宅２１へ送信される。一方、光導波路９１１と光導波路９１２との間の光路上から光フィルタ９２０が待避している場合（同図（ｂ））、端局１０から送出された信号光（波長１.４９μｍ，１.５５μｍ）のうち、波長１.５５μｍの信号光は光フィルタ９３０により遮断されて加入者宅２１に達せず、波長１.４９μｍの信号光は光フィルタ９３０を透過して加入者宅２１へ送信される。
【００４３】
このような部分回路２２１もＭＥＭＳにより好適に実現され、また、光デバイス２２０もＭＥＭＳ技術により集積化されて一体のものとして製造され得る。すなわち、光デバイス２２０は、制御部９４０により制御される静電駆動式のアクチュエータを含み、このアクチュエータの作用により光フィルタ９２０を移動させて信号光を処理することができる。
【００４４】
また、このような光デバイス２２０を駆動するには電力が必要であるが、これに必要な電力は太陽電池２３０において発生し、その発生した電力は、チャージコントローラ２５０、バッテリ２６０および駆動部２４０を経て光デバイス２２０に供給される。
【００４５】
したがって、このような光通信機器２００は、電力供給の為のケーブルを敷設する必要が無く、屋外に設置して使用することができる。しかも、この光通信機器２００は、加入者宅２１〜２８に対して１個のみ設けられればよい。このことから、選択的に情報を復号化する為の機器等を加入者宅２１〜２８に設ける必要が無く、また、サービス内容が変更になったときであっても加入者宅２１〜２８の機器を交換または設定変更する必要が無いので、光伝送システム２を安価に構成することができる。
【００４６】
また、端局１０と加入者宅２１〜２８との間で何らかの障害が発生した場合であっても、光デバイス２２０の作用により光伝送路５１〜５８のうちの何れかのみに試験光を伝搬させることで、特定の光伝送路について選択的にＯＴＤＲ試験をすることができるので、障害発生位置を特定することが容易であり、システム保守のためのコストを安価にすることができる。
【００４７】
また、バッテリ２６０が設けられていることにより、日照充分な昼間に太陽電池２３０で発生した電力をバッテリ２６０に蓄えておくことができるので、夜間や日照不足時に太陽電池２３０による発電が不可能または不充分であっても、そのバッテリ２６０に蓄えられた電力を用いて駆動部２４０により光デバイス２２０を駆動することができる。
【００４８】
図６は、第２実施形態に係る光通信機器２００に含まれる光デバイス２２０の部分回路２２１の他の構成図である。なお、他の部分回路２２２〜２２８の構成も同様である。この図に示される部分回路２２１Ａは、加入者宅２１から送出されて光伝送路５１により伝送されてきた信号光を処理する。例えば、部分回路２２１Ａは、加入者宅２１から送出されて光伝送路５１により伝送されてきた信号光のパワーが所定値より大きい場合に、その信号光のパワーを低減してた後に送受信器１０へ送出し、或いは、その信号光を遮断する。
【００４９】
この図に示されるように部分回路２２１Ａは、基板９１０、光フィルタ９２０、光分岐器９５０、制御部９６０、光サーキュレータ９７０、光サーキュレータ９８０および遅延用光ファイバ９９０を備える。基板９１０および光フィルタ９２０は、図３に示されたものと略同様のものである。ただし、光フィルタ９２０は、波長選択フィルタではなく、透過損失を有する損失フィルタであり、或いは、光を遮断するものであってもよい。
【００５０】
光サーキュレータ９７０は、基板９１０と光学的に接続された第１ポート９７１と、光分岐器２１０と光学的に接続された第２ポート９７２と、光サーキュレータ９８０の第１ポート９８１と光学的に接続された第３ポート９７３とを有し、第１ポート９７１に入力した光を第２ポート９７２から出力し、第２ポート９７２に入力した光を第３ポート９７３から出力する。
【００５１】
光サーキュレータ９８０は、光サーキュレータ９７０の第３ポート９７３と光学的に接続された第１ポート９８１と、光伝送路５１と接続された第２ポート９８２と、光分岐器９５０と光学的に接続された第３ポート９８３とを有し、第１ポート９８１に入力した光を第２ポート９８２から出力し、第２ポート９８２に入力した光を第３ポート９８３から出力する。
【００５２】
光分岐器９５０は、光サーキュレータ９８０の第３ポート９８３から出力された光を入力し、その一部を分岐して制御部９６０へ出力し、残部を基板９１０へ出力する。遅延用光ファイバ９９０は、光分岐器９５０と基板９１０との間に設けられている。
【００５３】
制御部９６０は、光分岐器９５０から到達した光を受光して、その受光パワーを判定し、その判定結果に基づいて光フィルタ９２０の位置を制御する。そして、基板９１０は、光分岐器９５０から到達した光を入力して、光フィルタ９２０の位置に応じて、損失を付与して該光を光サーキュレータ９７０へ出力し、或いは、該光を遮断する。
【００５４】
このような部分回路２２１Ａを含む光デバイス２２０を用いた場合、端局１０から送出された信号光は、光サーキュレータ９７０の第２ポート９７２に入力して第３ポート９７３から出力され、光サーキュレータ９８０の第１ポート９８１に入力して第２ポート９８２から出力され、光伝送路５１により伝送されて加入者宅２１へ達する。
【００５５】
一方、加入者宅２１から送出されて光伝送路５１により伝送されてきた信号光は、光サーキュレータ９８０の第２ポート９８２に入力して第３ポート９８３から出力され、光分岐器９５０および制御部９６０により当該パワーが判定され、信号光パワーが所定値より大きいと判定されたときには、基板９１０および光フィルタ９２０によりパワーが低減され或いは遮断される。そして、基板９１０から出力された信号光は、光サーキュレータ９７０の第１ポート９７１に入力して第２ポート９７２から出力され、端局１０へ送出される。
【００５６】
なお、制御部９６０により信号光パワーが所定値より大きくなったと判定される時刻から、基板９１０および光フィルタ９２０によりパワーが低減され或いは遮断される時刻までに時間を要するとしても、光分岐器９５０と基板９１０との間に遅延用光ファイバ９９０が設けられていることにより、高強度の信号光が基板９１０から出力されることはない。
【００５７】
このような部分回路２２１ＡもＭＥＭＳにより好適に実現され、また、光デバイス２２０はＭＥＭＳ技術により集積化されて一体のものとして製造され得る。すなわち、光デバイス２２０は、制御部９６０により制御される静電駆動式のアクチュエータを含み、このアクチュエータの作用により光フィルタ９２０を移動させて信号光を処理することができる。
【００５８】
なお、本発明は、上記実施形態に限定されるものではなく、種々の変形が可能である。上記実施形態の光伝送システム１では、端局１０から加入者宅２１〜２８へデジタル情報を担う信号光およびアナログ映像情報を担う信号光が送信され、加入者宅２１〜２８から端局１０へデジタル情報を担う信号光が送信された。その他にも、複数のアナログ映像情報を各々異なる光の波長帯に割り当てて加入者宅へ送信するシステム、複数のデジタル情報を各々異なる光の波長帯に割り当てて加入者宅へ送信するシステム、アナログ映像情報，アナログ音声情報およびデジタル情報を多重化して送信するシステム、これらを組み合わせたシステム等であってもよい、また、同一のデジタル信号を異なる光の波長帯に割り当てて、異なる加入者宅へ送信するシステムであってもよい。
【図面の簡単な説明】
【００５９】
【図１】本実施形態に係る光伝送システム１の構成図である。
【図２】第１実施形態に係る光通信機器１００の構成図である。
【図３】第１実施形態に係る光通信機器１００に含まれる光デバイス１２０の部分回路１２１の構成図である。
【図４】第２実施形態に係る光通信機器２００の構成図である。
【図５】第２実施形態に係る光通信機器２００に含まれる光デバイス２２０の部分回路２２１の構成図である。
【図６】第２実施形態に係る光通信機器２００に含まれる光デバイス２２０の部分回路２２１の他の構成図である。
【符号の説明】
【００６０】
１…光伝送システム、１０…端局、１１…送受信器、１２…光分岐器、２１〜２８…加入者宅、３０…光通信機器、３０Ａ…筐体、３１…光分岐器、３２…光デバイス、３３…太陽電池、３４…駆動部、４１〜４４…光伝送路、５１〜５８…光伝送路、１００…光通信機器、１００Ａ…筐体、１１０…光分岐器、１２０…光デバイス、１３０…太陽電池、１４０…駆動部、１５０…チャージコントローラ、１６０…バッテリ、１７０…制御部、２００…光通信機器、２００Ａ…筐体、２１０…光分岐器、２２０…光デバイス、２３０…太陽電池、２４０…駆動部、２５０…チャージコントローラ、２６０…バッテリ。
【図１】
2006067014.tif 000003
【図２】
2006067014.tif 000004
【図３】
2006067014.tif 000005
【図４】
2006067014.tif 000006
【図５】
2006067014.tif 000007
【図６】
2006067014.tif 000008